(57)【要約】【課題】ユーザがコンテンツの全シーンを見られるよう、未視聴シーンを有するコンテンツの内容（視聴した部分）をユーザにリマインドさせること。【解決手段】情報処理装置は、コンテンツの未視聴シーンの候補をユーザが視聴して確認する際に、該未視聴シーンの候補のシーンと関連するすでに視聴したシーンをリマインド・シーンとして表示する。【選択図】図１
2010081089.tif 000002
【特許請求の範囲】
【請求項１】
コンテンツの未視聴シーンの候補をユーザが視聴して確認する際に、該未視聴シーンの候補のシーンと関連するすでに視聴したシーンをリマインド・シーンとして表示することを特徴とする情報処理装置。
【請求項２】
前記リマインド・シーンとされる前記未視聴シーンの候補のシーンと関連するすでに視聴したシーンは、スロー再生もしくは一時停止でゆっくり再生したシーンであることを特徴とする請求項１記載の情報処理装置。
【請求項３】
前記リマインド・シーンとされる前記未視聴シーンの候補のシーンと関連するすでに視聴したシーンは、前後で巻戻・早送りなど特殊再生を繰り返して等倍再生したシーンであることを特徴とする請求項１または２記載の情報処理装置。
【請求項４】
前記リマインド・シーンとされる前記未視聴シーンの候補のシーンと関連するすでに視聴したシーンは、前記未視聴シーンの候補のシーンの直前・前後の視聴済みシーンであることを特徴とする請求項１から３のいずれか１項に記載の情報処理装置。
【請求項５】
前記リマインド・シーンとされる前記未視聴シーンの候補のシーンと関連するすでに視聴したシーンは、所定回数以内または所定の時間以内の直近の視聴したシーンであることを特徴とする請求項１から４のいずれか１項に記載の情報処理装置。
【請求項６】
コンテンツの未視聴シーンの候補をユーザが視聴して確認する際に、該未視聴シーンの候補のシーンと関連するすでに視聴したシーンをリマインド・シーンとして表示することを特徴とするコンテンツ・リマインド方法。
【請求項７】
前記リマインド・シーンとされる前記未視聴シーンの候補のシーンと関連するすでに視聴したシーンは、スロー再生もしくは一時停止でゆっくり再生したシーンであることを特徴とする請求項６記載のコンテンツ・リマインド方法。
【請求項８】
前記リマインド・シーンとされる前記未視聴シーンの候補のシーンと関連するすでに視聴したシーンは、前後で巻戻・早送りなど特殊再生を繰り返して等倍再生したシーンであることを特徴とする請求項６または７記載のコンテンツ・リマインド方法。
【請求項９】
前記リマインド・シーンとされる前記未視聴シーンの候補のシーンと関連するすでに視聴したシーンは、前記未視聴シーンの候補のシーンの直前・前後の視聴済みシーンであることを特徴とする請求項６から８のいずれか１項に記載のコンテンツ・リマインド方法。
【請求項１０】
前記リマインド・シーンとされる前記未視聴シーンの候補のシーンと関連するすでに視聴したシーンは、所定回数以内または所定の時間以内の直近の視聴したシーンであることを特徴とする請求項６から９のいずれか１項に記載のコンテンツ・リマインド方法。
【発明の詳細な説明】
【技術分野】
【０００１】
本発明は、コンテンツの未視聴シーンを効率的にユーザに認識させる技術に関する。
【背景技術】
【０００２】
ＶＯＤ（Ｖｉｄｅｏ  Ｏｎ  Ｄｅｍａｎｄ）などライセンス期限があるコンテンツを視聴する際、未視聴のものが無いことが望ましい。コンテンツを全て見たつもりでも、ダイジェスト視聴や早送りや視聴中断等により、未視聴シーンが残ることがある。そこで、期限切れが近いコンテンツの未視聴シーンを集め、ダイジェストで視聴したい。
【０００３】
しかし、未視聴シーンのみを視聴しても、視聴済みシーンと記憶が繋がらないことが想定される。そこで、ダイジェスト視聴したシーンや、前後で繰り返し視聴したシーンがあれば、リマインド・シーンとして流し、ユーザに視聴済みシーンからコンテンツの内容をリマインドさせることが望ましい。
【０００４】
これまでは、再生中のシーンが未視聴かどうか、ユーザが記憶を頼りに判断していた。リマインド機能は無く、ユーザが早送り・巻き戻し等を手動で操作し探していた。
【０００５】
また、ＨＤＤレコーダやＤＶＤ再生ソフトなどで、コンテンツごとに前回ユーザが視聴を中断した位置を記録し、レジューム再生していたり、視聴可能コンテンツの一覧画面で、一度も視聴していないコンテンツを色分けして強調表示したり、各コンテンツの再生回数や再生合計時間を表示していた。
【０００６】
関連技術として、人感センサで実際に視聴しているかを判断して視聴履歴を蓄積し、次回、視聴済みのシーンをスキップ可能にする技術が提案されている（例えば、特許文献１参照）。
また、期限切れが近いコンテンツのプレイリストを作成する。特殊再生（一時停止、巻き戻し等）によるタイムロスに応じ、リアルタイムでプレイリスト再構築を行うことで、期限内にコンテンツを視聴させる技術が提案されている（例えば、特許文献２参照）。
【特許文献１】特開２００５−３３３５６６号公報
【特許文献２】特開２００７−３０６０５５号公報
【発明の開示】
【発明が解決しようとする課題】
【０００７】
しかしながら、特許文献１の技術により、未視聴シーンを抽出してダイジェスト視聴できるが、ユーザがダイジェスト視聴で特定シーンのみ再生していた場合や、記憶が不確かとなるほど時間をおいて視聴再開した場合など、未視聴シーンを抽出しても、ユーザが視聴済みシーンを連想できず、コンテンツのどのシーンか分からないことがある。また、特許文献２の技術により、重要度（ユーザの興味）に応じて再生速度を変えることで、リマインドのため視聴済みシーンを時間短縮して再生可能だが、適切な重要度の割り振り手段は無い。
【０００８】
本発明は、以上のような課題を解決するためになされたもので、ユーザがコンテンツの全シーンを見られるよう、未視聴シーンを有するコンテンツの内容（視聴した部分）をユーザにリマインドさせる情報処理装置およびコンテンツ・リマインド方法を提供することを目的とする。
【課題を解決するための手段】
【０００９】
本発明の情報処理装置は、コンテンツの未視聴シーンの候補をユーザが視聴して確認する際に、該未視聴シーンの候補のシーンと関連するすでに視聴したシーンをリマインド・シーンとして表示することを特徴とする。
【００１０】
また、本発明のコンテンツ・リマインド方法は、コンテンツの未視聴シーンの候補をユーザが視聴して確認する際に、該未視聴シーンの候補のシーンと関連するすでに視聴したシーンをリマインド・シーンとして表示することを特徴とする。
【発明の効果】
【００１１】
本発明によれば、ユーザがコンテンツの全シーンを見られるよう、未視聴シーンを有するコンテンツの内容（視聴した部分）をユーザにリマインドさせることが可能となる。
【発明を実施するための最良の形態】
【００１２】
以下、本発明の第一の実施の形態について図面を参照して詳細に説明する。図１に示す本実施の形態における情報処理装置は、視聴端末Ａ（表示・入力）と、コンテンツ管理部Ｂ（追加・削除・照会・期限アラート）と、視聴履歴管理部Ｃ（作成・蓄積）と、プレイリスト管理部Ｄ（作成・編集・蓄積）と、未視聴シーン抽出部Ｅと、リマインド・シーン抽出部Ｆとから構成されている。
ここで、未視聴シーンとはコンテンツの一部であり、コンテンツ自体の少なくとも一部は一度ユーザが視聴している。コンテンツは複数ある状況を主に想定している。例えば、ＴＶの連続ドラマの第一回〜最終回まで等である。
【００１３】
本実施の形態の概略は以下のとおりである。
まず、コンテンツ視聴時に、視聴履歴を採取する。
次に、ユーザが所定の操作により未視聴ダイジェストを要求する、もしくはライセンス期限が近いコンテンツがある場合、自動的に、視聴履歴を元に未視聴シーン（早送りで飛ばしたものも含む）を集め、プレイリストを作成する。
そして、作成したプレイリストを再生し、未視聴シーンダイジェスト視聴を実現する。
プレイリスト再生中にユーザがリマインドを要求した際、視聴履歴からリマインド・シーンを抽出し、表示する（ＰｉｎＰによる同時再生や、現在のシーンをいったん中断しての再生など再生方法を選択させる）。
リマインド・シーンとして、以下のシーンを重要度の高いシーンとして抽出する。
スロー再生もしくは一時停止でゆっくり再生したシーン。これはユーザが興味を持っていたと考えられるからである。
前後で巻戻・早送りなど特殊再生を繰り返して等倍再生したシーン。これは頭出し等の微調整を行ってまでも正確に視聴したいほどユーザが興味を持っていたと考えられるからである。なお、以下の視聴履歴の早送りｘ２倍速再生に対する扱いとして、ＨＤＤレコーダ等でユーザが映像・音声を十分理解できる速度で再生されるものがあるため、等倍再生同様に視聴したとみなす。
再生中のシーンに対し、直前・前後の視聴済みシーン。
直近（過去Ｘ回、Ｙ時間以内）で視聴したシーン。これは記憶が新しく、よく覚えていると考えられるからである。
【００１４】
以下、本実施の形態の動作について図面を参照して詳細に説明する。本実施の形態における、事前準備として次の手順を踏む。
コンテンツ管理部Ｂにコンテンツを追加する。
コンテンツ管理部Ｂ内のコンテンツを視聴し、視聴履歴管理部Ｃに視聴履歴を追加する。なお、詳細手順は、例えば、上記の特許文献１に開示されている技術が適用されてよい。
そして、ユーザ操作（またはライセンス期限が近くなること）により、未視聴シーン抽出部Ｅを動作させ、未視聴ダイジェスト用にプレイリスト管理部Ｄに追加する。なお、詳細手順は、例えば、上記の特許文献１または特許文献２に開示されている技術が適用されてよい。
【００１５】
次に、図２および図３を参照して、プレイリストを再生し、ユーザ操作でリマインド・シーン抽出部Ｆを動作させ、ユーザにリマインド・シーンを提示し、ユーザに再生中のシーンのコンテンツをリマインドさせる処理動作について説明する。
【００１６】
図２を参照して、プレイリスト再生の流れについて説明する。
まず、視聴端末Ａに、プレイリスト管理部Ｄ内のプレイリスト一覧を表示させる（Ｓ２０１）。
【００１７】
次に、作成した未視聴ダイジェスト用のプレイリストを選択する（Ｓ２０２）。
【００１８】
未視聴ダイジェスト用のプレイリスト順に、コンテンツ管理部Ｂ内のコンテンツを再生する（Ｓ２０３）。
【００１９】
ユーザがリマインドを要求したか否か判定する（Ｓ２０４）。
【００２０】
リマインド・シーン抽出部Ｆがリマインド・シーン抽出を行い、リマインド・シーンを提示する（Ｓ２０５）。
【００２１】
コンテンツの再生完了（Ｓ２０６）。
【００２２】
残コンテンツ無しか否か判定する（Ｓ２０７）。ステップＳ２０７でＮｏの場合、ＬＯＯＰへ戻り、一方、ステップＳ２０７でＹｅｓの場合、視聴端末にプレイリスト再生完了を表示させる（Ｓ２０８）。
【００２３】
図３を参照して、リマインド・シーン抽出を行い、リマインド・シーンを提示する流れについて説明する。
まず、視聴履歴管理部Ｃから、再生中のコンテンツの視聴履歴を抽出する（Ｓ３０１）。
【００２４】
次に、スロー再生か一時停止ありか否か判定する（Ｓ３０２）。ステップＳ３０２でＹｅｓの場合、前後１５秒の時間帯を含む履歴の重要度を上げ、スロー再生の履歴は更に一段回重要度を上げる（Ｓ３０３）。
【００２５】
２回以上巻戻・早送りの時間帯ありか否か判定する（Ｓ３０４）。
【００２６】
ステップＳ３０４でＹｅｓの場合、直後に等倍再生の履歴ありか否か判定する（Ｓ３０５）。
【００２７】
ステップＳ３０５でＹｅｓの場合、直後の等倍再生を開始した位置を含む履歴の重要度を上げる（Ｓ３０６）。
【００２８】
再生中のシーンの時間帯（プレイリストでのシーン開始・終了まで）に最も近い前後の履歴の重要度を上げる（Ｓ３０７）。
【００２９】
直近の定義変更要求ありか否か判定する（Ｓ３０８）。
【００３０】
ステップＳ３０８でＹｅｓの場合、「Ｘ回、Ｙ時間以内」のＸ，Ｙ値を入力する（Ｓ３０９）。
【００３１】
直近（過去Ｘ回、Ｙ時間以内）での履歴の重要度を上げる（Ｓ３１０）。
【００３２】
最も重要度の高い履歴を、リマインド・シーンとして選択する（Ｓ３１１）。そして、再生速度を入力する（Ｓ３１２）。さらに、再生方法（ＰｉｎＰによる同時再生か、中断しての再生か）を選択する（Ｓ３１３）。
【００３３】
リマインド・シーンを、例えば、図４に示すような画面表示により、再生する（Ｓ３１４）。リマインド・シーンを再生終了後、画面を戻し引き続きリマインド要求のあったシーンを再生する（Ｓ３１５）。
【００３４】
以下では、表１および表２のデータに基づいて、２００８年１０月２６日を現在として本実施の形態における情報処理装置内部の動作を説明する。
【００３５】
表１は、コンテンツ管理部２が保持するコンテンツデータの例を示す。
【００３６】
【表１】
2010081089.tif 000003
【００３７】
表１において、ＣＲＩＤ（Ｃｏｎｔｅｎｔｓ  Ｒｅｆｅｒｅｎｃｅ  ＩＤ）はコンテンツを一意に特定するための識別子である。
【００３８】
表２は、視聴履歴管理部Ｃが保持する視聴履歴の例を示す。
【００３９】
【表２】
2010081089.tif 000004
【００４０】
表２において、開始位置、終了位置は、どちらもコンテンツの頭からの時間とする。
また、各コンテンツに対するユーザ操作の流れについて、Ｃｏｎｔ＿Ａは、番組の途中で、スロー再生し、再度巻戻して、スロー再生している。
Ｃｏｎｔ＿Ｂは、番組のＯＰとＥＤを視聴し、ＥＤの開始位置を調整するため、特殊再生を行った。
Ｃｏｎｔ＿Ｃは、ＣＭスキップ有りで、途中までで視聴を中断した。
Ｃｏｎｔ＿Ｄは、一度終盤まで見たが、最初から見返し、前回印象に残ったシーンを探した。
Ｃｏｎｔ＿Ｅは、まだ視聴期限が十分あるため、未視聴ダイジェストの対象外とする。
【００４１】
そして、視聴期限が１週間を下回るものに対し、未視聴ダイジェスト用のプレイリストを作成する。ここで、未視聴の判定基準として、スキップや早送りｘ４以上の履歴は無視し、未視聴として扱うとする。なお、早送りｘ２については、レコーダなどで音声をスムーズに再生できるものがあるため、視聴したとみなす。これにより、以下の表３のようなプレイリストが出来上がる。
【００４２】
【表３】
2010081089.tif 000005
【００４３】
次に、表３のプレイリストを再生した際、未視聴シーンごとに、ユーザがリマインド要求した場合について示す。なお以下では操作タイプが停止の視聴履歴は、無視することとする。
ＰＬ＿１再生中の場合、図３のステップＳ３０１で表４のようにＣｏｎｔ＿Ａの履歴が抽出される。
【００４４】
表４は、表２から抽出したＣｏｎｔ＿Ａの視聴履歴である。
【００４５】
【表４】
2010081089.tif 000006
【００４６】
表４において、図３のステップＳ３０２でＣｏｎｔ＿Ａ＿２、及びＣｏｎｔ＿Ａ＿４が条件に適合する。全ての履歴はＣｏｎｔ＿Ａ＿２、及びＣｏｎｔ＿Ａ＿４の１５秒前後に含まれ、それぞれ重要度はＣｏｎｔ＿Ａ＿１:２，Ｃｏｎｔ＿Ａ＿２:４，Ｃｏｎｔ＿Ａ＿３:２，Ｃｏｎｔ＿Ａ＿４:４，Ｃｏｎｔ＿Ａ＿５:２となる。
図３のステップＳ３０４では、条件に該当する履歴は無い。
図３のステップＳ３０７にて、Ｃｏｎｔ＿Ａ＿５が条件に適合し、重要度はＣｏｎｔ＿Ａ＿５:３となる。
ここまでの結果は、Ｃｏｎｔ＿Ａ＿１:２，Ｃｏｎｔ＿Ａ＿２: ，Ｃｏｎｔ＿Ａ＿３:２，Ｃｏｎｔ＿Ａ＿４:４,Ｃｏｎｔ＿Ａ＿５:３である。
図３のステップＳ３０８にて、直近の定義を変更した場合、全ての履歴が（停止まで）1回で行われたもののため、Ｘ(回)の変更では影響が無い。Ｙ(時間)を変更した場合、ここまでで重要度の最大値が４であるため、以下のように結果が変わる。
Ｃｏｎｔ＿Ａ＿５（全て）を対象に含まない場合、重要度最大（４）はCont＿Ａ＿２、Ｃｏｎｔ＿Ａ＿４。
Ｃｏｎｔ＿Ａ＿５まで対象とする場合、重要度最大（４）はＣＯＮＴ＿Ａ＿２、ＣＯＮＴ＿Ａ＿４、ＣＯＮＴ＿Ａ＿５。
Ｃｏｎｔ＿Ａ＿４日Ｃｏｎｔ＿Ａ＿３まで対象とする場合、重要度最大（４）はＣＯＮＴ＿Ａ＿４。
Ｃｏｎｔ＿Ａ＿２日Ｃｏｎｔ＿Ａ＿１まで対象とする場合、重要度最大（５）はＣＯＮＴ＿Ａ＿２、ＣＯＮＴ＿Ａ＿４。
よって、図３のステップＳ３１１にて、上記のいずれかのパターンでリマインド・シーンが決まる。
ＰＬ＿２再生中の場合、図３のステップＳ３０１で表４のようにＣｏｎｔ＿Ｂの履歴が抽出される。
【００４７】
表５は、表２から抽出したＣｏｎｔ＿Ｂの視聴履歴である。
【００４８】
【表５】
2010081089.tif 000007
【００４９】
表５において、図３のステップＳ３０２で条件に該当する履歴は無い。
図３のステップＳ３０４では、ＣＯＮＴ＿Ｂ＿３巻き戻しと、ＣＯＮＴ＿Ｂ＿４早送りから、ＣＯＮＴ＿Ｂ＿５が条件に適合し、重要度はＣＯＮＴ＿Ｂ＿５:１となる。
図３のステップＳ３０７にて、ＣＯＮＴ＿Ｂ＿１が条件に適合し、重要度はＣＯＮＴ＿Ｂ＿１:１となる。
ここまでの結果は、ＣＯＮＴ＿Ｂ＿１:１、ＣＯＮＴ＿Ｂ＿５:１である。
図３のステップＳ３０８にて、直近の定義を変更した場合、全ての履歴が（停止まで）１回で行われたもののため、Ｘ(回)の変更では影響が無い。Ｙ(時間)を変更した場合、ここまでで重要度の最大値が１であるため、以下のように結果が変わる。
ＣＯＮＴ＿Ｂ＿５(全て)を対象に含まない場合、重要度最大（１）はＣＯＮＴ＿Ｂ＿１、ＣＯＮＴ＿Ｂ＿５である。
ＣＯＮＴ＿Ｂ＿２〜ＣＯＮＴ＿Ｂ＿４の何れかまでを対象とする場合、重要度最大（２）はＣＯＮＴ＿Ｂ＿５である。
ＣＯＮＴ＿Ｂ＿１まで(全て)対象とする場合、重要度最大（２）はＣＯＮＴ＿Ｂ＿１、ＣＯＮＴ＿Ｂ＿５である。
よって、図３のステップＳ３１１にて、上記のいずれかのパターンでリマインド・シーンが決まる。
ＰＬ＿３再生中の場合、図３のステップＳ３０１で表４のようにＣｏｎｔ＿Ｃの履歴が抽出される。
【００５０】
表６は、表２から抽出したＣｏｎｔ＿Ｃの視聴履歴である。
【００５１】
【表６】
2010081089.tif 000008
【００５２】
表６において、図３のステップＳ３０２で条件に該当する履歴は無い。
図３のステップＳ３０４で条件に該当する履歴は無い。
図３のステップＳ３０７にて、ＣＯＮＴ＿Ｃ＿１、ＣＯＮＴ＿Ｃ＿３が条件に適合し、重要度はＣＯＮＴ＿Ｃ＿１:１、ＣＯＮＴ＿Ｃ＿３:１となる。
ここまでの結果は、ＣＯＮＴ＿Ｃ＿１:１、ＣＯＮＴ＿Ｃ＿３:１である。
図３のステップＳ３０８にて、直近の定義を変更した場合、全ての履歴が（停止まで）１回で行われたもののため、Ｘ(回)の変更では影響が無い。Ｙ(時間)を変更した場合、ここまでで重要度の最大値が１であるため、以下のように結果が変わる。
ＣＯＮＴ＿Ｃ＿３（全て）を対象に含まない場合、重要度最大(1)はＣＯＮＴ＿Ｃ＿１、ＣＯＮＴ＿Ｃ＿３である。
ＣＯＮＴ＿Ｃ＿３日ＣＯＮＴ＿Ｃ＿２まで対象とする場合、重要度最大（２）はＣＯＮＴ＿Ｃ＿３である。
ＣＯＮＴ＿Ｃ＿１まで(全て)対象とする場合、重要度最大（２）はＣＯＮＴ＿Ｃ＿１、ＣＯＮＴ＿Ｃ＿３である。
よって、図３のステップＳ３１１にて、上記のいずれかのパターンでリマインド・シーンが決まる。
【００５３】
ＰＬ＿４再生中の場合、図３のステップＳ３０１で表６のようにＣＯＮＴ＿Ｃの視聴履歴が抽出される。
図３のステップＳ３０２では、条件に該当する履歴は無い。
図３のステップＳ３０４では、条件に該当する履歴は無い。
図３のステップＳ３０７にて、ＣＯＮＴ＿Ｃ＿３が条件に適合し、重要度はＣＯＮＴ＿Ｃ＿３:１となる。
ここまでの結果は、ＣＯＮＴ＿Ｃ＿３:１である。
図３のステップＳ３０８にて、直近の定義を変更した場合、全ての履歴が（停止まで）１回で行われたもののため、Ｘ(回)の変更では影響が無い。Ｙ(時間)を変更した場合、ここまでで重要度が最大となるのは最後の履歴のため、以下のように結果が変わらない。
ＣＯＮＴ＿Ｃ＿３(全て)を対象に含まない場合、重要度最大《１》はＣＯＮＴ＿Ｃ＿３。
ＣＯＮＴ＿Ｃ＿１〜ＣＯＮＴ＿Ｃ＿３の何れかまでを対象とする場合、重要度最大（２）はＣＯＮＴ＿Ｃ＿３。
よって、図３のステップＳ３１１にて、ＣＯＮＴ＿Ｃ＿３がリマインド・シーンとして決まる。
【００５４】
ＰＬ＿５再生中の場合、図３のステップＳ３０１で表６のようにＣＯＮＴ＿Ｄの視聴履歴が抽出される。
【００５５】
表７は、表２から抽出したＣｏｎｔ＿Ｄの視聴履歴である。
【００５６】
【表７】
2010081089.tif 000009
【００５７】
図３のステップＳ３０２では、条件に該当する履歴は無い。
図３のステップＳ３０４では、条件に該当する履歴は無い。
図３のステップＳ３０７にて、ＣＯＮＴ＿Ｄ＿１、ＣＯＮＴ＿Ｄ＿４が条件に適合し、重要度はＣＯＮＴ＿Ｄ＿１:１、ＣＯＮＴ＿Ｄ＿４:１となる。
ここまでの結果は、ＣＯＮＴ＿Ｄ＿１:１、ＣＯＮＴ＿Ｄ＿４:１である。
図３のステップＳ３０８にて、直近の定義を変更した場合、Ｘ(回)の変更した場合、以下のように結果が変わる。
Ｘ＝０の場合、何もせず、重要度最大（１）はＣＯＮＴ＿Ｄ＿１、ＣＯＮＴ＿Ｄ＿４である。
Ｘ＝１の場合、ＣＯＮＴ＿Ｄ＿６、ＣＯＮＴ＿Ｄ＿７の履歴が該当し、重要度最大（１）はＣＯＮＴ＿Ｄ＿１、ＣＯＮＴ＿Ｄ＿４、ＣＯＮＴ＿Ｄ＿６、ＣＯＮＴ＿Ｄ＿７である。
Ｘ＝２の場合、ＣＯＮＴ＿Ｄ＿４、ＣＯＮＴ＿Ｄ＿６、ＣＯＮＴ＿Ｄ＿７の履歴が該当し、重要度最大（２）はＣＯＮＴ＿Ｄ＿４である。
Ｘ＝３の場合、全ての履歴が該当し、重要度最大（２）はＣＯＮＴ＿Ｄ＿１、ＣＯＮＴ＿Ｄ＿４である。
また、Ｙ（時間）を変更した場合、ここまでで重要度の最大値が４であるため、以下のように結果が変わる。
ＣＯＮＴ＿Ｄ＿７（全て）を対象に含まない場合、重要度最大（１）はＣＯＮＴ＿Ｄ＿１、ＣＯＮＴ＿Ｄ＿４である。
ＣＯＮＴ＿Ｄ＿７まで対象とする場合、重要度最大（１）はＣＯＮＴ＿Ｄ＿１、ＣＯＮＴ＿Ｄ＿４、ＣＯＮＴ＿Ｄ＿７である。
ＣＯＮＴ＿Ｄ＿５かＣＯＮＴ＿Ｄ＿６まで対象とする場合、重要度最大（２）はＣＯＮＴ＿Ｄ＿６、ＣＯＮＴ＿Ｄ＿７である。
ＣＯＮＴ＿Ｄ＿２〜ＣＯＮＴ＿Ｄ＿４の何れかまでを対象とする場合、重要度最大（２）はＣＯＮＴ＿Ｄ＿４、ＣＯＮＴ＿Ｄ＿６、ＣＯＮＴ＿Ｄ＿７である。
ＣＯＮＴ＿Ｄ＿１まで(全て)対象とする場合、重要度最大（２）はＣＯＮＴ＿Ｄ＿１、ＣＯＮＴ＿Ｄ＿４、ＣＯＮＴ＿Ｄ＿６、ＣＯＮＴ＿Ｄ＿７である。
よって、図３のステップＳ３１１にて、上記のいずれかのパターンでリマインド・シーンが決まる。
【００５８】
以上のように段階を踏んで、再生中のシーンごとにリマインド・シーンが決められる。
【００５９】
上記の本実施の形態によれば、未視聴シーンに対し、関連する視聴済みシーンを抽出することで、コンテンツの内容（視聴した部分）としてユーザに提示することができ、ユーザが期限内にコンテンツの全シーンを見られるよう、未視聴シーンを有するコンテンツの内容（視聴した部分）をユーザにリマインドさせることが可能となる。
【００６０】
なお、上述する各実施の形態は、本発明の好適な実施の形態であり、本発明の要旨を逸脱しない範囲内において種々変更実施が可能である。例えば、情報処理装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００６１】
【図１】本発明の実施の形態に係る情報処理装置の構成を示す図である。
【図２】本発明の実施の形態に係るプレイリスト再生の流れを示すフローチャートである。
【図３】本発明の実施の形態に係るリマインド・シーン抽出を行い、リマインド・シーンを提示する流れを示すフローチャートである。
【図４】本発明の実施の形態に係るリマインド・シーンをユーザに提示することを示す図である。
【符号の説明】
【００６２】
Ａ    視聴端末
Ｂ    コンテンツ管理部
Ｃ    視聴履歴管理部
Ｄ    プレイリスト管理部
Ｅ    未視聴シーン抽出部
Ｆ    リマインド・シーン抽出部
【図１】
2010081089.tif 000010
【図２】
2010081089.tif 000011
【図３】
2010081089.tif 000012
【図４】
2010081089.tif 000013